(57)【要約】【課題】残りのコードを妨害することなく、かつ生産低下を最小限に抑えるために短時間で、１つ以上のコードの交換を可能にする。【解決手段】クロスヘッドダイ組立体は、入口部分１６０と、内側部分１５０に取り外し可能に接続された上側支持ブロック１３０および下側ブロック１４０と、上側支持ブロック１３０と内側部分１５０との間で入口部分１６０の入口と流体連通する第１の流路１７０と、内側部分１５０と下側支持ブロック１４０との間で入口部分１６０の入口と流体連通する第２の流路１８０と、組立体に取り外し可能に取り付けられ、第１および第２の流路１７０，１８０と流体連通する入口を有するダイ２００と、を有し、内側部分１５０が、組立体の第１の側からダイ２００の入口まで延びる内側スロット４０２を有し、第１および第２の流路１７０，１８０がそれぞれ、入口端部と、入口端部に配置され、隆起した中央リブとを有している。【選択図】図３
2018099886.tif 000002
【特許請求の範囲】
【請求項１】
押出機と共に使用するためのクロスヘッドダイ組立体であって、
前記押出機からの流れを受け入れる入口を有する入口部分と、
前記内側部分の第１の側に取り外し可能に接続された上側支持ブロックと、
前記内側部分の第２の側に取り外し可能に接続された下側ブロックと、
前記上側支持ブロックと前記内側部分との間に位置し、前記入口と流体連通している第１の流路と、
前記内側部分と前記下側支持ブロックとの間に位置し、前記入口と流体連通している第２の流路と、を有し、
前記クロスヘッドダイ組立体が、前記組立体の出口端部に配置され、取り外し可能に取り付けられたダイであって、前記第１および第２の流路が、前記ダイの入口と流体連通している、ダイをさらに有し、
前記内側部分が、前記組立体の第１の側から前記ダイの前記入口まで延びる内側スロットをさらに有し、
前記第１および第２の流路がそれぞれ、入口端部と、該入口端部に配置され、隆起した中央リブとを有することを特徴とする、クロスヘッドダイ組立体。
【請求項２】
各流路の入口での面積が、各流路の出口での面積よりも大きい、請求項１に記載のクロスヘッドダイ組立体。
【請求項３】
各流路の深さが、入口端部から出口端部にかけて減少している、請求項１に記載のクロスヘッドダイ組立体。
【請求項４】
各流路が、球状突出部を有する内縁部を有する、請求項１に記載のクロスヘッドダイ組立体。
【請求項５】
前記入口に対する前記出口の面積比が、０．８から０．９８の範囲にある、請求項１に記載のクロスヘッドダイ組立体。
【請求項６】
前記入口に対する前記出口の面積比が、０．９から０．９６の範囲にある、請求項１に記載のクロスヘッドダイ組立体。
【請求項７】
前記流路の幅が、前記入口から前記出口にかけて増加している、請求項１に記載のクロスヘッドダイ組立体。
【請求項８】
前記内側スロットに配置された取り外し可能なカセットをさらに有する、請求項１に記載のクロスヘッドダイ組立体。
【請求項９】
前記上側支持ブロックが、取り外し可能な流れインサートを有する、請求項１に記載のクロスヘッドダイ組立体。
【請求項１０】
前記下側支持ブロックが、取り外し可能な流れインサートを有する、請求項１に記載のクロスヘッドダイ組立体。
【請求項１１】
前記内側部分の前記第１の側が、取り外し可能な流れインサートを有する、請求項１に記載のクロスヘッドダイ組立体。
【請求項１２】
前記内側部分の前記第２の側が、取り外し可能な流れインサートを有する、請求項１に記載のクロスヘッドダイ組立体。
【請求項１３】
前記カセットが、プライコードを受け入れる複数の孔を有する、請求項１に記載のクロスヘッドダイ組立体。
【請求項１４】
各孔が、該孔を通って延びる整列溝を有する、請求項１３に記載のクロスヘッドダイ組立体。
【請求項１５】
前記スロットが、上部側壁と、下部側壁と、側部側壁とを有する、請求項１に記載のクロスヘッドダイ組立体。
【請求項１６】
前記スロットが出口端部を有し、前記カセットのノーズ部は、前記スロットが流れから隔離されるように、前記スロットの前記出口を前記流れから遮断する、請求項１に記載のクロスヘッドダイ組立体。
【請求項１７】
前記ダイが、取り外し可能なインサートを有する、請求項１に記載のクロスヘッドダイ組立体。
【請求項１８】
前記取り外し可能なインサートが、前記ダイの出口孔に対して位置決めされたシール縁部を有する、請求項１２に記載のクロスヘッドダイ組立体。
【発明の詳細な説明】
【技術分野】
【０００１】
本発明は、空気入りタイヤに関し、より詳細には、タイヤのプライ構造に関する。
【背景技術】
【０００２】
現代の乗用車用タイヤは、通常、プライ、つまり、複数の補強フィラメントまたは補強コードで織った布地からなる２つ以上の層を用いて構成されている。このようなプライ材料は、通常、ガイドインサートを有する装置で作られ、ガイドインサートは、ケーブルで固定された（cabled）補強コードが通過する通路を有している。複数の補強コードの１つが破断すると、通常、装置を分解してガイドインサートを取り外した後、複数のコードを再び個別にインサートに挿入する必要がある。この手順により、生産性が大きく低下することになる。
【発明の概要】
【発明が解決しようとする課題】
【０００３】
したがって、残りのコードを妨害することなく、かつ生産低下を最小限に抑えるために短時間で、１つ以上のコードの交換が可能になるように、装置を改良することが望ましい。
【課題を解決するための手段】
【０００４】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有する、クロスヘッドダイ組立体を提供する。
【０００５】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、各流路の入口での面積が、各流路の出口での面積よりも大きい、クロスヘッドダイ組立体を提供する。
【０００６】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、各流路の深さが、入口端部から出口端部にかけて減少している、クロスヘッドダイ組立体を提供する。
【０００７】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、各流路が、球状突出部を有する内縁部を有する、クロスヘッドダイ組立体を提供する。
【０００８】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、入口に対する出口の面積比が、０．８から０．９８の範囲にある、クロスヘッドダイ組立体を提供する。
【０００９】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、入口に対する出口の面積比が、０．９から０．９６の範囲にある、クロスヘッドダイ組立体を提供する。
【００１０】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、流路の幅が、入口から出口にかけて増加している、クロスヘッドダイ組立体を提供する。
【００１１】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、内側スロットに配置された取り外し可能なカセットをさらに有する、クロスヘッドダイ組立体を提供する。
【００１２】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、上側支持ブロックが、取り外し可能な流れインサートを有する、クロスヘッドダイ組立体を提供する。
【００１３】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、下側支持ブロックが、取り外し可能な流れインサートを有する、クロスヘッドダイ組立体を提供する。
【００１４】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、内側部分の第１の側が、取り外し可能な流れインサートを有する、クロスヘッドダイ組立体を提供する。
【００１５】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、内側部分の第２の側が、取り外し可能な流れインサートを有する、クロスヘッドダイ組立体を提供する。
【００１６】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、カセットが、プライコードを受け入れる複数の孔を有する、クロスヘッドダイ組立体を提供する。
【００１７】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、各孔が、孔を通って延びる整列溝を有する、クロスヘッドダイ組立体を提供する。
【００１８】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、スロットが、上部側壁と、下部側壁と、側部側壁とを有する、クロスヘッドダイ組立体を提供する。
【００１９】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、スロットが出口端部を有し、カセットのノーズ部は、スロットが流れから隔離されるように、スロットの出口を流れから遮断する、クロスヘッドダイ組立体を提供する。
【００２０】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、ダイが、取り外し可能なインサートを有する、クロスヘッドダイ組立体を提供する。
【００２１】
本発明の１つ以上の実施態様は、押出機と共に使用するためのクロスヘッドダイ組立体であって、押出機からの流れを受け入れる入口を有する入口部分と、内側部分の第１の側に取り外し可能に接続された上側支持ブロックと、内側部分の第２の側に取り外し可能に接続された下側ブロックと、上側支持ブロックと内側部分との間に位置し、入口と流体連通している第１の流路と、内側部分と下側支持ブロックとの間に位置し、入口と流体連通している第２の流路と、を有するとともに、組立体の出口端部に配置され、取り外し可能に取り付けられたダイであって、第１および第２の流路が、ダイの入口と流体連通している、ダイをさらに有し、内側部分が、組立体の第１の側からダイの入口まで延びる内側スロットをさらに有し、第１および第２の流路がそれぞれ、入口端部と、入口端部に配置され、隆起した中央リブとを有し、取り外し可能なインサートが、ダイの出口孔に対して位置決めされたシール縁部を有する、クロスヘッドダイ組立体を提供する。
【００２２】
本発明は、第２の態様において、プライを製造する方法であって、クロスヘッド押出機を通して複数のコードを押し出すことであって、コードがダイ内で整列された状態で、複数のコードを押し出すことと、コードが内部に含浸されたゴムのベース層を形成することと、を含む方法を提供する。
【００２３】
（定義）
「アスペクト比」は、タイヤの断面幅に対する断面高さの比を意味する。
【００２４】
「軸方向の」および「軸方向に」は、タイヤの回転軸に平行なラインまたは方向を意味する。
【００２５】
「ビード」または「ビードコア」は、一般に、環状引張部材を有するタイヤの一部を意味し、半径方向内側のビードは、タイヤをリムに保持することに関連し、フリッパー、チッパー、エイペックス、トゥーガード、およびチェーファーのような他の補強部材の有無にかかわらず、プライコードによって包まれて形作られている。
【００２６】
「ベルト構造」または「補強ベルト」は、織布または不織布であって、トレッドの下に存在し、ビードに固定されておらず、左右のコード角度が共にタイヤの赤道面に対して１７°から２７°の範囲にある、互いに平行なコードからなる少なくとも２つの環状の層またはプライを意味する。
【００２７】
「バイアスプライタイヤ」は、カーカスプライ内の補強コードは、タイヤの赤道面に対して約２５〜６５°の角度で、ビードからビードへとタイヤを対角線上に横切って延び、プライコードは、交互の層内を互いに反対の角度で延びることを意味する。
【００２８】
「ブレーカー」または「タイヤブレーカー」は、ベルト、ベルト構造、または、補強ベルトと同じものを意味する。
【００２９】
「カーカス」は、円筒形状またはトロイダル形状に接合するのに適する長さに切断されるかあるいはすでに接合されたタイヤプライ材料と他のタイヤ構成部品とからなる積層体を意味する。追加の構成部品は、加硫されて成形タイヤになる前のカーカスに付加されていてよい。
【００３０】
「周方向」は、軸方向に垂直な環状トレッドの表面の周囲に沿って延びるラインまたは方向を意味し、断面で見たときに、半径がトレッドの軸方向曲率を規定する、互いに隣接した数組の円曲線の方向を指すこともある。
【００３１】
「コード」は、プライを補強するために使用される、繊維を含む補強ストランドの１つを意味する。
【００３２】
「インナーライナー」は、チューブレスタイヤの内面を形成し、タイヤの内部に膨張流体を収容する、エラストマーまたは他の材料からなる層を意味する。
【００３３】
「インサート」は、ランフラットタイヤのサイドウォールを補強するために通常使用される補強材を意味し、トレッドの下に存在するエラストマー製のインサートを指すこともある。
【００３４】
「プライ」は、半径方向に展開されるか、あるいは他の方法によって互いに平行にされ、エラストマーで被覆された補強コードからなる、コードで補強された層を意味する。
【００３５】
「半径方向の」および「半径方向に」は、タイヤの回転軸に向かって放射状に延びる方向、あるいは回転軸から離れるように放射状に延びる方向を意味する。
【００３６】
「ラジアルプライ構造」は、少なくとも１つのプライは、タイヤの赤道面に対して６５°から９０°までの間の角度に向けられた補強コードを有する、１つ以上のカーカスプライを意味する。
【００３７】
「ラジアルプライタイヤ」は、ベルトで締め付けられているか、あるいは周方向に制限された空気入りタイヤであって、ビードからビードへと延びるプライは、タイヤの赤道面に対して６５°から９０°までの間のコード角度で配置された空気入りタイヤを意味する。
【００３８】
「サイドウォール」は、タイヤのトレッドとビードとの間にある部分を意味する。
【００３９】
「積層構造」は、インナーライナー、サイドウォール、任意のプライ層など、タイヤ構成部品つまりエラストマー構成部品からなる１つ以上の層で形成された未加硫構造を意味する。
【図面の簡単な説明】
【００４０】
【図１】透視して示すギアポンプ組立体と共に示す、本発明のクロスヘッドダイ組立体の斜視図である。
【図２】図１のクロスヘッドダイ組立体の方向２−２における断面図である。
【図３】図１のクロスヘッドダイ組立体の方向３−３における断面図である。
【図４】下側流路を示す、図１のクロスヘッドダイ組立体の部分分解斜視図である。
【図５】上側流路の上側インサートを示す、図１のクロスヘッドダイ組立体の部分分解斜視図である。
【図６】図１のクロスヘッドダイ組立体の部分分解後方斜視図である。
【図７】流入口から流出口までのゴムの流れ経路を示す、図１のクロスヘッドダイ組立体の内側部分の斜視図である。
【図８】流入口から流出口までのゴムの流れ経路を示す、図１のクロスヘッドダイ組立体の内側部分の拡大斜視図である。
【図９】コードカセットが取り除かれている様子を示す、図１のクロスヘッドダイ組立体の断面図である。
【図１０】コードカセットを通るコード経路と、コードガイドと、上側および下側ダイとを示す、図１のクロスヘッドダイ組立体の斜視図である。
【発明を実施するための形態】
【００４１】
図１は、透視して示すギアポンプ組立体つまり押出機組立体Ｇに接続されたクロスヘッドダイ組立体１００を示している。組立体Ｇは、クロスヘッドダイ組立体に弾性材料を供給するものである。図１に示すように、複数の平行な補強コード１１０がクロスヘッドダイ組立体１００に進入して弾性材料で包まれ、補強されたプライ材料からなるストリップ１２０を形成して、ダイ２００の出口通路２０２から排出される。ストリップは、典型的な幅が８０ｍｍ、厚さが１．２ｍｍである。
【００４２】
クロスヘッドダイ組立体１００は、上側支持ブロック１３０と、下側支持ブロック１４０と、内側部分１５０とを有している。クロスヘッドダイ組立体の一方の端部には、入口部分１６０が配置され、入口部分１６０は、上側支持ブロック１３０と、下側支持ブロック１４０と、内側部分１５０とに接続されている。上側支持ブロック１３０、下側支持ブロック１４０、および内側部分はすべて、組立体１００に取り外し可能に接続されている。
【００４３】
図２には、クロスヘッドダイ組立体１００の断面が示されている。入口部分１６０は、押出機（図示せず）または押出機ギアポンプ組立体Ｇからのエラストマー材料を受け入れる取入口１６２を有している。取入口１６２を通じて、エラストマー流れがスクリーンフィルタ１６４へと送られる。図１に示すように、入口部分１６０は、スクリーンフィルタ１６４を交換したりスクリーンフィルタ１６４にアクセスしたりするためにダイ組立体を完全に分解することなく、組立体１００から容易に取り外される。スクリーンフィルタ１６４は、容易に取り外されて交換される。
【００４４】
図２に示すように、押出機からのエラストマー流れは、組立体１００に進入して、上側流路１７０および下側流路１８０へと分離される。上側流路１７０は、取り外し可能な上側インサートプレート１７２と、取り外し可能な下側インサートプレート１７４とから形成されている。取り外し可能な上側インサートプレート１７２（図５）は、下側インサートプレート１８４の９０度の流れ経路１７８（図６）と協働して上側流路１７０を形成する９０度の流れ経路１７６を有している。同様に、下側流路１８０は、取り外し可能な上側インサートプレート１８２（図２）と下側インサートプレート１８４との間に形成され、それぞれのインサートプレートは、互いに協働して下側流路１８０を形成する９０度の流れ経路を有している。
【００４５】
図７に示すように、上側流路１７０および下側流路１８０への入口には、隆起した中央リブ３１０が設けられ、中央リブ３１０は、各流路入口に配置されている（すなわち、２つの隆起した中央リブ３１０が設けられている）。この隆起した中央リブ３１０は、ゴムの流れが流路の内縁部３１２と外縁部３１４とに向くのを促進するものである。内縁部３１２は、拡大した半径を有している。隆起した中央リブ３１０は、Ｖ字形であることが好ましい。
【００４６】
各流路の内縁部３１２は、大きな半径Ｒを有する球状（bulbous）拡張部３１６を有し、その半径Ｒは、２０インチ（５０．８ｃｍ）から５０インチ（１２７ｃｍ）の範囲、より好ましくは、２５インチ（６３．５ｃｍ）から３５インチ（８８．９ｃｍ）の範囲にある。球状拡張部３１６は、ゴムの流れがさらに外縁部３１４に向いた後で内縁部３１２に向くのを助長するものであり、それだけでなく、流れの速度を増加させることを助長するものである。図７に示すように、断面積Ａ１は断面積Ａ２よりも大きく、その一方で、断面積Ａ２は断面積Ａ３よりも大きく、断面積Ａ３は断面積Ａ４よりも大きい。したがって、流路は、面積がＡ１からＡ４まで増加しているように見えるは、実際には入口でのＡ１から出口でのＡ４まで減少している。面積比Ａ４／Ａ１は、０．８０から０．９９の範囲、より好ましくは、０．８５〜０．９９の範囲にある。
【００４７】
図４に示すように、流路１７０の深さは、出口よりも入口で大きい。流路の深さは、入口から出口にかけて減少している。流路の幅は、入口から出口にかけて変化し、最初は減少し、出口の近くでは増加している。断面積は重要な特徴であり、入口から出口に向けて減少している。
【００４８】
下側インサートプレート１７４および上側インサートプレート１８２は、テーパ状の出口端部１７３，１８３を有していることが好ましい（図３）。上側流路１７０および下側流路１８０からのエラストマー流れは、異形押出ダイ２００に進入する。異形押出ダイ２００は、クロスヘッド組立体１００に取り外し可能に取り付けられている。図１に示すように、異形押出ダイ２００は、組立体１００からプライストリップを抜き出すための出口孔２０２を有している。
【００４９】
図９に示すように、クロスヘッドダイ組立体１００は、補強コード１１０を平行に揃えてクロスヘッドダイ組立体に供給するための取り外し可能なカセット４００を有している。カセット４００は、内側部分１５０に配置された長方形状のスロット４０２に収容されている。図９に示すように、長方形スロット４０２は、クロスヘッドダイ組立体の入口側４０２から出口側４０４に延びている。スロット４０２は、上側流路１７０および下側流路１８０内で、エラストマー流れから分離されて隔離されている。スロットは、上壁部４１０、下壁部４２０、第１の側壁部４１４、および第２の側壁部４１６を有し、これらはカセットを分離している。こうして、スロットによって、エラストマー流れを妨害することなく、組立体からカセットを取り外すことが可能になる。図１０は、カセット４００内にコード１１０がある状態を示している。コード１１０は、コードガイド４５０のスロット４５１内に挿入されている。カセットの前端部には、カセットから着脱可能なノーズ部４６０が設けられている。ノーズ部４６０は、隙間なく一列に配置され、それぞれがコードを受け入れる複数の出口孔４６２を有している。出口孔４６２は、ノーズ部の外表面から軸方向に突出するリップ部４７１に隣接して配置されている。リップ部４７１は、ノーズ部の上面の一部を取り外すかまたは取り除くことによって形成されている。各出口孔４６２に隣接したリップ部４７１の上には、複数の整列溝４６４が配置されている。整列溝４６４は、図１２、図１３、および図１６に示すように、孔を通って延びている。整列溝４６４は、出口孔４６２と共に、個々のコードが適切に分離され、間隔を空けて整列されるのを維持し、それにより、図１１Ｃに示すように、平行かつ適切に離間された複数のコードを備えた補強プライストリップが形成される。さらに、各コードのための個別の孔によって、残りのコードを妨害することなく、破断した１つのコードを容易に交換することが可能になる。
【００５０】
カセットのノーズ部４６０は、ダイ組立体２００に隣接して配置されている。ダイ組立体２００は、インサート５００をさらに有し、インサート５００は、ダイ組立体に押し付けられているが、いかなる固定具によっても所定位置には保持されていない。インサート５００は、取り外し用のジャックボルトを受け入れるためのねじ穴を有している。インサートは、スロット端部５０６内に位置するフランジ端部５０２を有している。インサート５００は、インサートスロット５０４内に位置する先端シール部５１０を有している。インサート５００は、特にダイの縁部の近傍で、ダイ縁部を密閉して漏洩を防止する機能を有している。ダイ組立体内の圧力が増加すると、インサートがダイにさらに押し込まれ、その結果、インサートシール縁部５１０がダイと共に密閉を形成することになる。
【００５１】
カセットのノーズ部４６０は、上側および下側の外側曲面４６１，４６５を有している。ノーズ部の上側曲面４６１は、傾斜通路２０４に隣接して配置されている。上側および下側流路からエラストマーが流れると、エラストマーは、ノーズ部４６０の外側曲面４６１，４６５に沿って傾斜通路２０４に押し込められる。エラストマーは、ノーズ部の上側外面に沿って流れた後、リップ部４７１においてコードに接触し、リップ部４７１に沿って補強コード１１０を包み込む。エラストマーがコード上を流れる間、リップ部４７１の整列溝４６４は、コードの間隔および整列を保持することで安定性を維持している。コードの上側部分がゴムで被覆された後、下部流路からの流れがノーズ部の下部表面に沿って流れてコードに接触する。そして、エラストマーおよびコードは、傾斜通路２０４を通過した後、ダイ出口孔２０２を通過する。
【００５２】
ダイ２００は、コードのより容易な挿入を可能にするために取り外し可能である。コードが破損したり、コードの取り換えが必要になったりすると、組立体からカセットを容易に取り外すことができる。ダイ２００およびインサート５００もコード交換のために取り外すことができる。コードが破損した場合、コードをカセットのガイド４５０と出口孔４６２を通して再挿入することができる。残りのコードの再挿入を行うことなく、破損したコードを交換することができる。カセットが取り外されると、ゴムまたはエラストマーは、流路内に隔離された状態で維持される。５分以内でのコードパッケージの完全な取り換えが可能になる。流路インサートも取り換えることができる。
【００５３】
図２に示すように、クロスヘッドダイ組立体１００は、冷却剤入口３０２と冷却剤出口部３０４とを備えた１つ以上の冷却／加熱通路３００をさらに有していてもよい。
【００５４】
要約すると、改良されたクロスヘッドダイ組立体によって、貫通孔ガイドに拘束された状態でコードストランドを個別に供給することが実現され、そこでは、コードを破断するような鋭利な縁部は存在しない。この組立体により、流路内でエラストマーが隔離された状態を維持したまま、コードパッケージを数分で容易に取り換えることが可能になる。残りのコードのすべてを再挿入することなく、破断したコードを交換することができる。この組立体によって、さらに、一体化されたスクリーンフィルタと、システムの流れバランスの修正を可能にする交換可能な流路インサートとが提供される。
【００５５】
本発明について、特定の具体例に関連して説明したが、以下の特許請求の範囲の範囲から逸脱することなく多くの修正および変更が可能であることが明らかであろう。
【符号の説明】
【００５６】
１００  クロスヘッドダイ組立体
１３０  上側支持ブロック
１４０  下側支持ブロック
１５０  内側部分
１６０  入口部分
１７０  上側流路
１８０  下側流路
２００  異形押出ダイ
３１０，３１２  隆起した中央リブ
３１２  内縁部
３１６  球状拡張部
４００  カセット
４０２  スロット
４１０  上壁部
４１４  第１の側壁部
４１６  第２の側壁部
４２０  下壁部
４６０  ノーズ部
４６２  出口孔
４６４  整列孔
５００  インサート
５１０  シール縁部
【図１】
2018099886.tif 000003
【図２】
2018099886.tif 000004
【図３】
2018099886.tif 000005
【図４】
2018099886.tif 000006
【図５】
2018099886.tif 000007
【図６】
2018099886.tif 000008
【図７】
2018099886.tif 000009
【図８】
2018099886.tif 000010
【図９】
2018099886.tif 000011
【図１０】
2018099886.tif 000012